(57)【要約】【課題】装置構成を簡便にし、感光性記録媒体に入射されるＲ、Ｇ、Ｂ各単色の色純度を向上させ、色再現性が優れ、高品位の画質を有するプリントを得ることができる転写装置を提供する。【解決手段】転写装置はバックライトユニット１と、略平行光生成用の多孔板２と、デジタル記録された画像を表示する液晶表ディスプレイ素子３と、感光フィルム４が収納されているフィルムパック５と、バックライトユニット１、多孔板２、液晶表ディスプレイ素子３およびフィルムパック５を内包する本体ケース６とを有する。液晶表ディスプレイ素子３の画像表示面３ａと感光フィルム４の感光面４ａとの間に、ディスプレイ素子３のＲ、Ｇ、およびＢの各色のカラーフィルタの分光透過率曲線が相互に重なる境界領域の光を選択吸収する吸収フィルタ４０が設けられている。これにより、高品位な画質を有する仕上りプリントを得ることができる。【選択図】図１
2004160784.tif 000002
【特許請求の範囲】
【請求項１】
光源と、液晶層をその両側から基板で挟持する構造の透過型の画像表示装置と、感光性記録媒体とを、前記画像表示装置の画像表示面と前記感光性記録媒体の記録面とを対向させて前記光源の光の進行方向に沿って直列に配置し、前記透過型の画像表示装置から通過した表示画像を前記感光性記録媒体の前記記録面に転写する転写装置であって、
前記透過型の画像表示装置には、赤、緑、および青のカラーフィルタが設けられており、さらに前記各カラーフィルタの分光透過率曲線が互いに重なる領域の波長域の光を選択吸収する吸収フィルタが設けられていることを特徴とする転写装置。
【発明の詳細な説明】
【０００１】
【発明の属する技術分野】
本発明は、デジタルスチルカメラ（ＤＳＣ）、ビデオカメラまたはパソコン（パーソナルコンピュータ）等によりデジタル記録された画像を液晶表示デバイスで構成される透過型の画像表示装置に表示し、表示された画像を用いて、光により発色するインスタント写真フィルム等の感光性記録媒体に転写（画像形成）する転写装置に関する。
【０００２】
【従来の技術】
従来より、デジタル記録された画像を記録媒体に転写もしくは印写、または記録する方法として、点状印字ヘッドを有するインクジェット方式、レーザ記録方式または感熱記録方式等の種々の方式が知られている。
上記インクジェット方式等の印字方式は、印字に時間がかかり、インクが詰まり易く、精密な印字を行うと印字した紙がインクにより湿ってしまうなどの問題点がある。また、レーザ記録方式はレンズなどの高価な光学部品が必要であるため、機器のコストが嵩むという問題点がある。また、レーザ記録方式または感熱記録方式は消費電力が大きく、携帯には不向きであるという問題点がある。
このように、上記記録方式による転写装置においては、一般的なことであるが、特に、インクジェット方式では精密な印字にすればするほど、駆動機構および制御機構が複雑になり、装置も大型かつ高価なものになる。さらに、印刷にも時間がかかってしまうという問題点があった。
【０００３】
これに対して、液晶表示装置を用いて表示画像をインスタントフィルム等の感光性記録媒体に形成することにより、装置構造を簡略化し、コストを低減した転写装置が提案されている（特許文献１および特許文献２）。
特許文献１に開示された電子プリンタ（転写装置）は液晶ディスプレイの表示画面を光感応性媒体にコピーして写真品質のハードコピーを生成することができるものである。
【０００４】
一方、特許文献２に開示された印写装置は、レンズなどの高価な光学部品を用いたり、適当な長さの焦点距離を確保することを不要として、従来の転写装置に比べ、より一層の小型軽量化、低消費電力化および低コスト化を可能にするというものである。図１３（ａ）は特許文献２に開示された印写装置を示す側面図、図１３（ｂ）は図１３（ａ）のＤ部拡大図である。図１３（ａ）に示すように、透過型の液晶ディスプレイ（以下、ＬＣＤという）３００の表示面に感光フィルム４００を密着させ、ＬＣＤ３００の感光フィルム４００のある側とは反対側に設けた光源（バックライト１００）を点灯する。すなわち、蛍光灯１０１を点灯してバックライト１００を点灯することにより、このＬＣＤ３００に表示される画像を感光フィルム４００に印写するものである。図１３（ｂ）に示すように、ＬＣＤ３００においては、表示面側の偏光板３０１、ガラス基板３０２、液晶層３０３、ガラス基板３０４およびバックライト１００側の偏光板３０５までの合計厚さが２．８ｍｍである。
【０００５】
図１４は特許文献２の他の実施形態の印写装置を示す斜視図である。特許文献２の他の実施形態においては、図１４に示すように、バックライト１００とＬＣＤ３００との間に格子２００を設けることにより、バックライト１００からの光の拡散を抑制するようにしている。すなわち、バックライト１００からの光を平行光に近づけている。さらに、格子２００とＬＣＤ３００との間に矩形状の中空の筒からなるスペーサ２０１を設けることにより、格子２００の枠組の形の像（枠組による影）が感光フィルム４００に写り込むのを防止して、光学部品を設けたり適当な長さの焦点距離を確保したりすることなしに、感光フィルム４００上に形成される画像の鮮明度を実用上問題のない程度まで向上させたものが開示されている。
【０００６】
また、特許文献２には、図１３（ｂ）に示すように、ＬＣＤ３００の合計厚さが２．８ｍｍであり、ドットサイズが０．５ｍｍで表示されたＬＣＤ３００の画面を感光フィルム４００に印写する印写装置の例が示されている。ＬＣＤ３００から発した光の拡散を防ぐために、厚さが１０ｍｍで、貫通孔の大きさが５ｍｍ角である格子２００を配し、この格子２００とＬＣＤ３００との間に長さが２０ｍｍのスペーサ２０１を配置し、さらにＬＣＤ３００と感光フィルム４００とを密着させて、画像のボケ（不鮮明化）を防止して、印写することが示されている。
【０００７】
【特許文献１】
特開平１０−３０９８２９号公報
【特許文献２】
特開平１１−２４２２９８号公報
【０００８】
【発明が解決しようとする課題】
しかしながら、特許文献１に開示された転写装置は、液晶ディスプレイの表示画面を光感応性媒体にコピーするために、液晶ディスプレイの表示画面と光感応性媒体との間に、ロッドレンズアレイなどの光学部品を用いるものであり、光学部材が高価であるという問題点がある。また、液晶ディスプレイと光感応性媒体との間に所定の間隔（総共役長）が必要であり、装置の小型化にも限界がある。特許文献１においては、例えば、総共役長が１５．１ｍｍ必要である。
【０００９】
また、特許文献２に開示された印写装置は、ＬＣＤ３００と感光フィルム４００とを密着させて印写することにより、画像を得ているが、例えば、いくつかの色が混じってしまい、中々正確な色を再現することができず、感光フィルムに転写された画像の画質が劣化するという問題点がある。これは、以下に示す理由によるものである。
【００１０】
すなわち、まず通常カラーＬＣＤは、人が見て、美しく、明るくあるようにという目的のため、カラーＬＣＤに使用される赤（以下、Ｒという）、緑（以下、Ｇという）、および青（以下、Ｂという）の各色のカラーフィルタは、透過率が高く、かつ透過波長領域が広く作られている。
図１５は、縦軸に透過率をとり、横軸に波長をとって、Ｒ、Ｇ、およびＢの各色のカラーフィルタの分光透過率曲線を示すグラフである。図１５に示す各色のカラーフィルタの分光透過率曲線Ｒ、Ｂ、Ｇは、ＬＣＤのカラーフィルタの一例を示すものである。
例えば、図１５に示すように、ＬＣＤの各色のカラーフィルタは、いずれの各色のカラーフィルタとも透過波長領域が広く作られているため、波長が６００ｎｍ付近では、Ｒ光とＧ光の透過領域が重なっており、また、波長が５００ｎｍ付近では、Ｂ光とＧ光の透過領域が重なっており、それぞれの重なった領域では各両方の色の光が透過してしまう。
【００１１】
また、ＬＣＤのバックライト光源として用いられる冷陰極管も、光量を多くするため、なるべく発光領域の幅の広い蛍光物質が使われている。さらに、人の目に明るく見えるようにするため、Ｇ光を強くしてあるのが一般的である。
図１６は、縦軸に光強度をとり、横軸に波長をとって、ＬＣＤのバックライト光源の分光強度分布を示すグラフである。図１６に示す光源の分光強度曲線は、いわゆる三波長型の冷陰極管のスペクトル波形である。図１６に示す光源は、波長が５５０ｎｍ付近のＧ光に最も大きなピークを有している。
【００１２】
また、画像が転写される感光フィルムも、それぞれＲ光、Ｇ光およびＢ光により発色する範囲は、Ｒ光、Ｇ光およびＢ光それぞれの光の波長でかなりのピークを有してはいるが、Ｒ光とＧ光とで発色する境界、およびＧ光とＢ光とで発色する境界において重なりを有している。
例えば、感光フィルムの例として、富士写真フイルム社製インスタントフィルム「チェキ」の分光感度分布を図１７に示す。
図１７は、縦軸に感度をとり、横軸に波長をとって、感光フィルムのＲ光、Ｇ光、およびＢ光における分光感度特性を示すグラフである。
図１７に示すように、「チェキ」の場合でも、Ｒ光とＧ光との境界５７０〜６００ｎｍ、及びＧ光とＢ光の境界４８０〜５１０ｎｍにおいて、わずかではあるが重なっている。
従って、この境界領域（混色領域）の波長の光は、Ｒ光とＧ光とで発色する境界（混色領域）においては、感光フィルムでは、ＲとＧとの両方が発色し、またＧ光とＢ光とで発色する境界（混色領域）においては、ＧとＢとの両方が発色してしまう。その結果、得られた画像において、混色が生じてしまい画質が劣化する。
【００１３】
上述の如く、光源がＲ光、Ｇ光およびＢ光の全ての光を含んでいる場合について説明したが、ＬＣＤに表示される色がＲ、Ｇ、およびＢであり、各単色により感光フィルムが露光される場合にも、他の色が混じることを、以下、Ｇの場合を例にとって説明する。
ＬＣＤは、Ｇのみを表示する。それには、ＬＣＤのＧのカラーフィルタのみのドットで光が透過でき、Ｒ及びＢのカラーフィルタのドットは、光が透過しないようにする。
このように、ＬＣＤにＧのみを表示した状態で、図１６に示したような分光強度分布を有する三波長型冷陰極管を必要な時間点灯させる。なお、このとき、三波長型冷陰極管からは、発光できるすべての波長の光が出ている。
この光は、ＬＣＤのＧのカラーフィルタを透過して、感光フィルムに達する。従って、感光フィルムに到達できる光は、ＬＣＤのＧのカラーフィルタの光の波長に対して、Ｇのカラーフィルタの透過率を乗じたものとなる。
【００１４】
図１８は、縦軸に光強度をとり、横軸に波長をとって、ＬＣＤのＧのカラーフィルタを透過した光の分光強度特性を示すグラフである。
図１８に示すように、Ｇのカラーフィルタ透過後の光の強度分布は、４４０〜４８０ｎｍ位まで、だらだらとしたＢ領域の透過光があり、さらに、４９０ｎｍ付近に小さい山（ピーク）の透過光がある。また、Ｒの方向（長波長側）では、５８０ｎｍ付近に山、さらに、６１０ｎｍ付近に小さい山の透過光がある。このうち、特に、４９０ｎｍの透過光は、フィルムのＢ領域の光が出ていることになる。
【００１５】
その結果、光源として図１６に示すような分光強度特性を有する光源を用いてＬＣＤにＧの色を表示させて、感光フィルムを露光しても、感光フィルムには、殆どＧの色に近い色ではあるが、青（Ｂ）の色も少し混じった色となってしまう。このように、特許文献１および２に示す従来の転写装置においては、どうしても混色が生じ、適正な色の画像を得ることができず、画質が低下するという問題点がある。このため、単に、ＬＣＤに表示された画像を転写するのみでなく、色の再現性を向上させて、高画質な画像を得ることが望まれている。
【００１６】
本発明はかかる問題点に鑑みてなされたものであり、装置構成を簡便にし、感光性記録媒体に入射されるＲ、Ｇ、Ｂ各単色の色純度を向上させ、色再現性が優れ、高品位の画質を有するプリントを得ることができる転写装置を提供することを目的とする。
【００１７】
【課題を解決するための手段】
前記課題を解決するために、本発明は、光源と、液晶層をその両側から基板で挟持する構造の透過型の画像表示装置と、感光性記録媒体とを、前記画像表示装置の画像表示面と前記感光性記録媒体の記録面とを対向させて前記光源の光の進行方向に沿って直列に配置し、前記透過型の画像表示装置から通過した表示画像を前記感光性記録媒体の前記記録面に転写する転写装置であって、前記透過型の画像表示装置には、赤、緑、および青のカラーフィルタが設けられており、さらに前記各カラーフィルタの分光透過率曲線が互いに重なる領域の波長域の光を選択吸収する吸収フィルタが設けられていることを特徴とする転写装置を提供するものである。
【００１８】
このような本発明の転写装置においては、前記吸収フィルタは、前記光源と前記画像表示装置との間に設けられていることが好ましい。また、この場合、前記吸収フィルタは、例えば、ダイクロイックミラーであることが好ましい。
【００１９】
【発明の実施の形態】
以下、本発明に係る転写装置について、添付の図面に示される好適実施形態を基に詳細に説明する。図１は本発明の第１の実施形態に係る転写装置を示す模式的側断面図であり、図２は本発明の第１の実施形態に係る転写装置の要部を示す模式的断面図である。なお、図２において、フィルムケース５１は省略している。
【００２０】
図１および図２に示すように、本実施形態の転写装置は、光源となるバックライトユニット１と、略平行光生成用の多孔板２と、デジタル記録された画像を表示する液晶表示素子（以下、ＬＣＤ素子という）３と、取り付け取り外し自在なフィルムケース５１に感光性記録媒体である感光フィルム４を収納しているフィルムパック５と、ＬＣＤ素子３のバックライトユニット１、多孔板２、ＬＣＤ素子３およびフィルムパック５を内包する本体ケース６とから構成される。なお、ＬＣＤ素子３は本発明における画像表示装置に対応するものである。フィルムケース５１は感光フィルム４の長手方向の一方の側面に取出口５３が設けられている。また、フィルムケース５１のＬＣＤ素子３と対向する面に開口部５４が形成されている。
【００２１】
ここで、多孔板２と、ＬＣＤ素子３と、感光フィルム４とは、バックライトユニット１からの光の進行方向に沿って直列に配置されており、ＬＣＤ素子３の画像表示面３ａと感光フィルム４の感光面４ａとが対向して配置されている。ＬＣＤ素子３とフィルムケース５１とはその周縁部が密着している。
フィルムケース５１の開口部５４には、後述する吸収フィルタ４０が設けられている。すなわち、ＬＣＤ素子３の画像表示面３ａと感光フィルム４の感光面４ａとの間に吸収フィルタ４０が配置される。
【００２２】
光源となるバックライトユニット１は、ＬＣＤ素子３の背後からその全面に均一な光を照射するためのもので、ＬＣＤ素子３の表示画面と略同一の光射出面（発光面）を持つ面状光源である。バックライトユニット１は冷陰極管等の棒状ランプ７から射出された光を所定方向に導入する導光板１０を有し、導光板１０に導入された光を略直交する方向に反射させる反射板１１が導光板１０の裏面に設けられている。反射板１１で反射された光を均一化する拡散板１２が導光板１０の表面に設けられている。
【００２３】
本実施形態に用いられるバックライトユニット１は、特に限定されるものではなく、棒状ランプ７が発光する光を、導光板、反射シート、拡散シートおよびプリズムシートなどからなるバックライトアセンブリを用いて均一に拡散させるようにした面状光源であればよく、従来公知のＬＣＤ用バックライトユニットを用いることができる。
また、本実施形態に用いられるバックライトユニット１は、所要の光強度の光を射出できる面状光源であれば、ＬＥＤアレイ光源、有機ＥＬパネルまたは無機ＥＬパネル等を用いる光源なども利用可能である。
【００２４】
多孔板２は、必要に応じて、バックライトユニット１とＬＣＤ素子３との間に配置されて、バックライトユニット１からの光を略平行光（平行光を含む）にし、ＬＣＤ素子３に入射する光をなるべく平行にするための略平行光生成素子であって、所定厚さの矩形板に所定のサイズの貫通孔２１を所定ピッチで多数設けたものである。
図３（ａ）は本実施形態の転写装置に使用される多孔板の一部を拡大して示す正面図、（ｂ）は本実施形態の転写装置に使用される多孔板の第１の変形例を示す正面図、（ｃ）は本実施形態の転写装置に使用される多孔板の第２の変形例を示す正面図である。図３（ａ）に示すように、本実施形態においては、正三角形の頂点の位置が中心となるようにして貫通孔２１が複数形成されている。各貫通孔２１は縁部間の距離が０．１ｍｍである。
【００２５】
なお、本実施形態において用いられる略平行光生成素子としては、同様の機能を有するものであれば、特に限定されるものではない。例えば、図３（ｂ）に示す４角形格子２１ａ、図３（ｃ）に示す６角形格子２１ｂ等を用いてもよい。しかし、製作が容易な点も考慮して、図３（ａ）に示すような多孔板とすることが好ましい。
【００２６】
また、本実施形態においては、多孔板２とＬＣＤ素子３との間隔は、好ましくは、０．０５ｍｍ〜１０ｍｍとし、より好ましくは０．１ｍｍ〜５ｍｍとすることが良い。これは、多孔板２に代表される略平行光生成素子の貫通孔２１のパターンが拡散光による「影」の形で現われるのを防止するためのものである。なお、ここで設定している上記間隔は、上述の「影」を防止するとともに、転写画像の鮮明度が低下しない条件である。
【００２７】
ここで、多孔板２の材質としては、特に限定されるものではないが、例えば所定の厚さを有するアルミニウム板等の金属板、樹脂板またはカーボン材料板等を用いることができる。なお、多孔板２の厚さも、特に限定されるものではなく、要求される転写画像の鮮明度に応じて、または、ＬＣＤ素子３の表示画面または感光フィルム４の感光面４ａの大きさに合わせて、適宜選択すれば良い。また、多孔板２の製作方法としては、多孔シートを積層する方法または樹脂によるモールド（成形）方法などが実用的であるが、加工が可能であれば、特に限定されるものではなく、機械的に孔加工する方法等を含め、どのような加工法を用いても良い。
【００２８】
また、多孔板２に設ける複数の貫通孔２１の配列形状および配列ピッチは、貫通孔２１が均一に配置されるものであれば、どのようなものでも良い。例えば、貫通孔２１の配列形状は、碁盤目状または千鳥状（最密状）であって良く、好ましくは千鳥状が良い。また、貫通孔２１の配列ピッチは、なるべく細かい方が良く、貫通孔２１と貫通孔２１との間（貫通孔２１の縁部間の距離）は、０．０５〜０．５ｍｍが好ましく、より好ましくは０．０５〜０．３ｍｍが良い。
【００２９】
また、多孔板２に設ける貫通孔２１の形状は、特に限定されるものではなく、例えば円筒形、楕円筒形または多角筒形などにすることができる。すなわち、貫通孔２１の平面形状は、特に限定されるものではなく、例えば円形、楕円形または多角形等にすることができるが、製作を容易にするために、円形または多角形とすることが好ましい。また、貫通孔２１は、多孔板２の厚さ方向には、平行な貫通孔であることが好ましいが、略平行であると見なせるものであれば良い。
また、貫通孔２１のサイズも、特に限定されるものではないが、多孔板２の貫通孔２１の直径（円の場合）または相当直径（楕円または多角形等の場合）は、５ｍｍ以下とすることが好ましく、この多孔板２の厚さが貫通孔２の直径または相当直径の３倍以上であることが好ましい。なお、上述の相当直径とは、「４×面積／総辺長（または全周長）」で表わされる長さのことである。多孔板２の貫通孔２１の直径または相当直径を５ｍｍ以下とし、この多孔板２の厚さが貫通孔２１の直径または相当直径の３倍以上とするのは、これらの条件が、多孔板２によって平行光を得るために有効な条件であるからである。特に、多孔板２の厚さが貫通孔２１の直径または相当直径に対して５倍以上、さらに好ましくは７倍〜２５倍とするのがよい。
【００３０】
また、貫通孔２１の内面を含めて、多孔板２の全表面に対して反射防止膜を設けることが好ましい。反射防止膜としては、その反射率が所定値以下であれば、特に限定されるものではないが、例えば、黒色メッキ膜、黒色化処理膜または黒色塗装被膜などを挙げることができる。本発明においては、反射率は、２％以下であることが好ましい。これは、反射率が２％以下であれば、バックライトユニット１から入射した、平行光以外の散乱光を効率良く吸収でき、バックライトユニット１から略平行光（平行光を含む）のみを効率良く射出させて、ＬＣＤ素子３に入射させることができるからである。なお、反射率は、例えば、（株）島津製作所製ＭＰＣ３１００型分光反射率測定機を用い、波長５５０ｎｍで測定することができる。
【００３１】
ＬＣＤ素子３は、デジタル記録された画像を表示するための透過型の画像表示装置であって、デジタルスチルカメラ、デジタルビデオカメラまたはパーソナルコンピュータなどのデジタル画像データ供給部に接続され、供給されるデジタル画像データに応じて表示画像を透過像として表示するものである。なお、ＬＣＤ素子３に接続されているデジタルカメラ等のデジタル画像データ供給部では、予め用意されている画像の内から、任意の画像を選択して供給できるように構成されている。なお、ＬＣＤ素子３に供給されるデジタル画像データとしては、上述の場合の他、スキャナ等によって透過原稿または反射原稿から読み取られたものであっても良い。また、ＬＣＤ素子３は、透過像として画像を表示できれば、どのようなものでも良く、デジタル画像データではなくても、通常のビデオカメラで撮影された画像のアナログ画像データに基いて画像を表示するものであっても良い。
【００３２】
なお、このＬＣＤ素子３と、多孔板２との間には、所定の間隙を設けているが、この間隙は、上述したように、好ましくは０．０５ｍｍ〜１０ｍｍであり、より好ましくは０．１ｍｍ〜５ｍｍである。しかし、任意の寸法に調整可能に構成されていることが好ましい。
【００３３】
図４は本実施形態の転写装置に使用される透過型の液晶表示素子（ＬＣＤ素子）３の構造を示す断面図である。ＬＣＤ素子３は、図４に示すように、感光フィルム４の側から多孔板２側（バックライトユニット１側）に向かって、フィルム状偏光板（以下、偏光フィルムともいう）３１と、ガラス基板３２と、電極３３と、液晶層３４と、電極３５と、ガラス基板３６と、フィルム状偏光板３７とを積層し、液晶層３４をその両側からガラス基板３２、３６および偏光板３１、３７で挟持する構造を有するものである。ガラス基板３２と電極３３との間にはＲ、ＧおよびＢの各色のカラーフィルタ３８Ｒ、３８Ｇ、３８Ｂ、およびブラックマトリックス３９が設けられている。周知のように、この他、配向膜（図示せず）等を有しているのはいうまでもない。ここで、例えば、ＴＦＴ型ＬＣＤの場合、電極３３は、共通電極であり、電極３５は、表示電極およびゲート電極等である。なお、ガラス基板３２および３６の代りに樹脂基板等を用いてもよい。
【００３４】
また、図４に示すように、ＬＣＤ素子３の構造は、後述する感光フィルム４の側の偏光フィルム３１およびガラス基板３２の合計厚さを除いて、画像表示が可能であれば、従来公知の液晶表示モードを持ち、従来公知の駆動方式のＬＣＤ素子を用いることができる。例えば液晶表示モードとしては、ＴＮモード、ＳＴＮモード、ＣＳＨモード、ＦＬＣおよびＯＣＢモードなどの偏光板を用いる液晶表示モードを挙げることができる。駆動方式としては、ＴＦＴ型およびダイオード型などのアクティブマトリックス駆動方式の他、ＸＹのストライプ電極からなるダイレクトマトリックス駆動方式等を挙げることもできる。
【００３５】
また、ＬＣＤ素子３のサイズは、特に限定されるものではなく、どのようなサイズでも良く、感光フィルムのサイズに合わせて適宜選択すれば良い。また、ＬＣＤ素子３のＲＧＢ各画素のドットサイズも、特に限定されるものではないが、より鮮明な高画質の写真画像を得るためには、各画素の少なくとも短辺側の大きさは、０．２ｍｍ以下であることが好ましい。これは、各画素の少なくとも短辺側の大きさが０．２ｍｍ以下では、より鮮明な転写画像を得ることができるからである。
【００３６】
なお、ＬＣＤ素子３の画素数または画素密度も、特に限定されるものではないが、高精細・高鮮明度の高画質画像を転写して得るためには、近年市販されているＲＧＢ各画素のドットサイズが小さい高精細画面を持つＬＣＤを用いることが好ましい。このようなＬＣＤとしては、例えば、ＵＸＧＡ（１０．４インチ、１２００×１６００画素）またはＸＧＡ（６．３および４インチ、１０２４×７６８画素）などのＴＦＴ型ＬＣＤを挙げることができる。
【００３７】
本実施形態に用いられるＬＣＤ素子３においては、少なくとも、感光フィルム４側の基板３２と偏光フィルム３１とを合わせた合計厚さｔは、できるだけ薄いことが良く、１．０ｍｍ以下が好ましい。さらに好ましくは０．８ｍｍ以下、さらにより好ましくは０．６ｍｍ以下とすることが良い。
【００３８】
なお、より一層好ましくは、バックライトユニット１（多孔板２）側の基板３６と偏光フィルム３７とを合わせた合計厚さは、薄い方が良く、１．０ｍｍ以下が好ましい。さらに好ましくは０．８ｍｍ以下であり、さらにより好ましくは０．６ｍｍ以下とすることが良い。また、合計厚さの下限値も、特に限定されるものではないが、例えばガラス基板３２では、それ自体の厚さを薄くするのは０．５ｍｍ程度が限界と考えられることから、０．５ｍｍ以上としても良い。なお、この合計厚さは、これらに限定されることはなく、上記条件を実現するための構成として、ガラス基板の代りに、樹脂基板の使用を考慮することも有効であり、これにより０．５ｍｍ程度の合計厚さの下限値をさらに小さくすることができる。
【００３９】
以下、本実施形態において、感光フィルム４側の基板３２と偏光フィルム３１とを合わせた合計厚さｔを１．０ｍｍ以下とする理由について説明する。
この合計厚さの条件は、バックライトユニット１からＬＣＤ素子３までの区間での光の拡散を抑えることに相当する。ＬＣＤ素子３と感光フィルム４とを、厳密には、ＬＣＤ素子３の画像表示面３ａと感光フィルム４の感光面４ａとを非接触状態にしても、より鮮明な転写画像を得られるという結果に通じるものである。
すなわち、本発明に係る転写装置においては、ＬＣＤ素子３の画像表示面３ａと感光フィルム４の感光面４ａとを、所定の間隔だけ離間させて、非接触状態にしている。この非接触状態にするという条件は、簡単な構成で、実用性を挙げ、実際に取り扱い易い転写装置とするためには必要な条件である。しかし、ＬＣＤ素子３の画像表示面３ａと感光フィルム４の感光面４ａとの間での光の拡散を助長し、鮮明な転写画像を得るという点からはむしろマイナス要因である。このため、本発明においては、後述するように、上記非接触状態によるマイナス分（光の拡散の増大分）を、ＬＣＤ素子３のカラーフィルタの分光透過率曲線が重なる境界領域Ｓ１  、Ｓ２  の光を選択吸収する吸収フィルタ４０を設けて、ＬＣＤ素子から射出される光の色純度を上げることにより、補い、更に画質を向上させる。さらに、上述の合計厚さの条件、および多孔板２の厚さの貫通孔２１の直径または相当直径との比を３倍以上とすることによるプラス分（光の拡散の抑制分）でカバーする。
【００４０】
ところで、上述したように、図１３（ａ）および（ｂ）に示す特許文献２に開示された従来の印写装置においては、厚さが約２．８ｍｍのＬＣＤ３００が用いられている。図１３（ｂ）に示すように、ＬＣＤ３００は、２枚の偏光板３０１、３０５、２枚の基板３０２、３０４およびこれらに挟まれる液晶層３０３から構成されている。特許文献２には開示されていないが、一般に、液晶層そのものの厚さは０．００５ｍｍ程度（カラーＴＦＴ液晶ディスプレイ：ｐ２０７、共立出版発行参照）とされているため、片側の基板３０１（３０５）と偏光板３０２（３０４）とを合わせた厚さは、１．３ｍｍ〜１．４ｍｍ程度と考えられる。
ここで、光の拡散度合いは距離に比例するため、上述の厚さ１．３ｍｍ〜１．４ｍｍが１／２になれば、拡散度合いも１／２になり、従来技術の項で述べた「片側について、約０．０９ｍｍ拡大される」という値もその１／２、つまり０．０４ｍｍ〜０．０５ｍｍ程度に減少すると推察される。しかしながら、この程度の拡散度合いでは、従来技術の項で述べたように、最新のＵＸＧＡまたはＸＧＡなどのような微細なドットサイズを有するＬＣＤにおいて、隣接するドットの重なり合いが生じる。
【００４１】
すなわち、拡散度合いを０．０４ｍｍ〜０．０５ｍｍ程度に減少させただけでは、ドットの重なり合いが生じ、これに起因する色の滲みが発生して、不鮮明な画像しか得ることができない。しかし、本願発明者らは特開２００２−１９６４２６号公報に記載したように、ＬＣＤ素子３の片側の少なくとも感光フィルム４側の基板３２と偏光フィルム３１とを合わせた厚みを１．０ｍｍ以下とすることにより、ＵＸＧＡまたはＸＧＡなどのような微細なドットサイズを有するＬＣＤ素子においても、ドットの重なり合いに起因する色の滲みが解消して、鮮明な転写画像が得られることを知見している。さらに、上述したように、カラーフィルタの分光透過率曲線が重なる境界領域Ｓ１  、Ｓ２  の光を選択吸収する吸収フィルタ４０を設けることにより、混色を防止する。このため、露光焼付に必要な色の光の成分だけを感光フィルム４に入射させることができる。これらのことから、ＬＣＤ素子３と感光フィルム４との間隔が等しいものに比べて、ＵＸＧＡまたはＸＧＡなどのような微細なドットサイズを有するＬＣＤ素子３においても、色の滲みがさらに一層解消されて鮮明な転写画像が得られる。
【００４２】
本実施形態においては、感光フィルム４の感光面４ａが、所定の間隙を隔てて、ＬＣＤ素子３の画像表示面３ａに配置されるように構成されている。複数枚の感光フィルム４が、フィルムケース５１に収納されている。本実施形態においては、フィルムケース５１は、本体ケース６内に取り付けられ、１セット（パック）の複数枚の感光フィルム４を装填するものであっても、取り付け取り外し自在なフィルムケース５１に複数枚の感光フィルム４を収納しているフィルムパック５をそのまま本体ケース６に装填するものであっても良い。しかし、フィルムケース５１ごとフィルムパック５、すなわち、複数枚の感光フィルム４を収納しているフィルムケース５１自体を装填できるように構成しておくことが好ましい。
【００４３】
感光フィルム４は、本発明の感光性記録媒体として用いられるものである。本発明の感光性記録媒体としては、ＬＣＤ素子３の透過表示画像の露光焼付により、可視ポジ画像を形成できるものであればどのようなものでも良く、特に限定されるものではないが、例えば、いわゆるインスタント写真フィルムが好ましい。このような感光性記録媒体として用いられる感光フィルム４としては、モノシートタイプのインスタント写真用フィルム「インスタックスミニ」または「インスタックス」（共に富士写真フイルム（株）製）を挙げることができる。
このようなインスタント写真フィルムは、フィルムケースに所定数のフィルムをしたいわゆるフィルムパックとして市販されている。
従って、本発明においては、感光フィルム４の感光面４ａとＬＣＤ素子３の画像表示面３ａとの間隙が、後述する条件を満足するように配置できれば、図１に示すように、フィルムパック５をそのまま本体ケース６に装填することもできる。
【００４４】
また、本実施形態においては、フィルムパック５を使用する場合には、例えば、感光フィルム４の画像形成領域よりもフィルムケース５１の開口部５４の開口領域を大きくする。もちろん、ＬＣＤ素子３の外形で規定される領域はＬＣＤ素子３の画像表示領域よりも大きい。本実施形態においては、ＬＣＤ素子の画像表示領域は感光フィルム４の画像形成領域と同じであることが好ましい。この場合、各部のサイズの大小関係は、感光フィルム４の画像形成領域よりもフィルムケース５１の開口部５４の開口領域の方が大きい。通常、ＬＣＤ素子３の外形で規定される領域がフィルムケース５１の開口部５４の開口領域よりも大きい。しかし、フィルムケース５１の開口部５４の開口領域がＬＣＤ素子３の外形で規定される領域よりも大きいことが非常に好ましい。
【００４５】
図５は本実施形態の転写装置に使用されるフィルムパック５の一例の構造を示す斜視図である。図５に示すような構造を有するフィルムパック５には、そのフィルムケース５１の一端部に感光フィルム４を、フィルムパック５（のフィルムケース５１）から取り出すためのクロー部材（爪）が進入可能な切り欠き５２が設けられている。露光の終了した感光フィルム４は、上記クロー部材によりフィルムパック５のフィルムケース５１の取出口５３から取り出され、搬送機構（図示せず）により、処理工程に送られる。
なお、本実施形態における処理工程とは、上記感光フィルム４の一端に予め設けられている処理液（現像液）チューブ（図示せず）を押し破って、現像液を感光フィルム４内全面に均一に行きわたらせることであり、感光フィルム４のフィルムパック５からの取り出し・搬送と実質的に同時に行われるものである。処理工程を経た感光フィルム４は、本体ケース６の取出口６２（図１参照）から装置外部に送り出される。
【００４６】
周知のように、この種のインスタント写真用フィルムは、上述の処理工程を経た後、数十秒ほどで完全な画像を形成し、観賞に供することが可能になる。従って、本発明の転写装置では、上述の処理工程を施すまでが、必要とされる機能となる。１枚の感光フィルム（フィルムシート）が送り出された後には、次の感光フィルムが現われ、次の露光（転写）が可能な準備状態が実現される。
なお、上述した、このフィルムパックの取り扱い方法については、先に本出願人の出願に係る特開平４−１９４８３２号公報に開示されたインスタント写真用フィルムを用いるインスタントカメラを参照することができる。
【００４７】
ところで、本発明の転写装置においては、前述したように、実際に取り扱い易い装置とするために必要な条件から、ＬＣＤ素子３と感光フィルム４とを非接触状態で、厳密には、ＬＣＤ素子３の画像表示面３ａと感光フィルム４の感光面４ａとを非接触状態で、所定の間隔だけ離間させるようにしている。本発明に係る転写装置においては、図２に示すように、ＬＣＤ素子３の画像表示面３ａと感光フィルム４の感光面４ａとの間の離間間隔は、０．０１ｍｍ〜３ｍｍであることが好ましく、より好ましくは０．１ｍｍ〜３ｍｍであることが良い。
【００４８】
これは、上述したように、鮮明な転写画像を得るという点からはむしろマイナス要因ではあるが、実際に取り扱い易い装置とするためには必要な条件である。これによるマイナス分は、ＬＣＤ素子３の感光フィルム４側の基板３２と偏光フィルム３１とを合わせた合計厚さｔを規制することによって光拡散の抑制というプラス要因でカバーできるからである。さらに、多孔板２の貫通孔２１の直径または相当直径に対する比を３倍以上とすることによる光拡散の抑制というプラスの要因でもカバーできる。
【００４９】
本実施形態の転写装置においては、ＬＣＤ素子３に表示された画像のサイズは、感光フィルム４に転写される画像のサイズと実質的に同一とすることが好ましい。これは、本実施形態においては、レンズ系を用いた拡大または縮小を行うことなく、直接転写方式とすることで、装置の小型化および軽量化などを実現することができるからである。
【００５０】
本体ケース６は、上述の本実施形態の各構成要素、すなわちバックライトユニット１、多孔板２、ＬＣＤ素子３、フィルムパック５（またはフィルムケース５１）をおよび露光済みフィルムの送り出し兼処理液展開ローラ対６１等を内部に収納するケースである。本体ケース６においては、露光済みフィルムの送り出し兼処理液展開ローラ対６１は、装填されたフィルムパック５（またはフィルムケース５１）の露光済フィルムの取出口５３に臨む位置に取り付けられている。また、本体ケース６には、このローラ対６１を臨む位置に、露光済みの感光フィルム４の本体ケース６からの取出口６２が開口されている。また、本体ケース６には、露光済みフィルムパック５の裏側の開口から挿入されて、感光フィルム４をフィルムケース５１の前縁に、すなわち、ＬＣＤ素子３側に付勢するためのバックアップ用押圧ピン６３が設けられている。
【００５１】
なお、図示はしていないが、本実施形態の転写装置はローラ対６１を駆動するための駆動源（モータ）、またはこれを駆動したりバックライトユニット１の棒状光源７を点灯するための電源、これらを制御するための電装品、ＬＣＤ素子３に画像を表示させるためにデジタル画像データ供給部からデジタル画像データを受信しＬＣＤ表示用画像データに変換するデータ処理装置、および制御装置などを有しているのはもちろんである。
【００５２】
以下、本発明の特徴である吸収フィルタ４０について説明する。吸収フィルタ４０は、図１５に示す分光透過率曲線Ｂと分光透過率曲線Ｇとが重なる境界領域Ｓ１  の波長域の光を選択吸収して、感光フィルム４に入射する境界領域Ｓ１  の波長域の光の光量を少なくするものであり、さらに、分光透過率曲線Ｇと分光透過率曲線Ｒとが重なる境界領域Ｓ２  の波長域の光を選択吸収して、感光フィルム４に入射する境界領域Ｓ２  の波長域の光の光量を少なくするものである。
【００５３】
なお、吸収フィルタ４０を第１および第２の吸収カラーフィルタからなるものとすることもできる。この場合、例えば、第１の吸収カラーフィルタは、境界領域Ｓ１  の波長域の光を選択吸収して、感光フィルム４に入射する境界領域Ｓ１  の波長域の光の光量を少なくするものである。また、例えば、第２の吸収カラーフィルタは、境界領域Ｓ２  の波長域の光を選択吸収して、感光フィルム４に入射する境界領域Ｓ２  の波長域の光の光量を少なくするものである。
【００５４】
これにより、棒状ランプ７から射出される光の成分のうち、カラーフィルタに入射すると混色が生じる波長領域の光が吸収されて、この波長領域の光の光量が少なくなる。これにより、ＬＣＤ素子３の表示画像における３原色の混色が低減し、感光フィルム４に入射する３原色の色純度が高くなり、色再現性を向上させることができる。従って、高品位な画質を有する仕上りプリントを得ることができる。
【００５５】
次に、吸収フィルタの効果について説明する。本実施形態の吸収フィルタは、上述の如く、ＬＣＤ素子のカラーフィルタにおいて、青と緑の混色が生じる境界領域Ｓ１  、および緑と赤の混色が生じる境界領域Ｓ２  の波長域の光を選択吸収して光強度を低下させるものである。
この場合、図１５に示す境界領域Ｓ１  の波長領域の光を選択吸収する吸収フィルタの効果について説明する。
図６は、縦軸に光強度をとり、横軸に波長をとって、棒状ランプ（光源）の分光強度分布を示すとともに、本実施形態の吸収フィルタの効果を説明するグラフである。なお、図６に示す分光強度分布曲線Ａは、吸収フィルタを透過させる前の棒状ランプ７（光源）の分光強度分布を示すものである。また、分光強度分布曲線Ｆは、この分光強度分布曲線Ａで表される棒状ランプ７の光が吸収フィルタ４０を透過した後の分光強度分布を示すものである。
【００５６】
吸収フィルタ４０は、図１５に示す境界領域Ｓ１  の波長領域の光を選択吸収するものであり、これにより、図６に示すように、分光強度分布曲線Ａにおいて、波長が４５０ｎｍ〜５００ｎｍの範囲で存在するピークが、分光強度分布曲線Ｆではなくなっている。このように、吸収フィルタ４０を用いることにより、棒状ランプ７における分光強度分布曲線Ａで存在したＬＣＤ素子３において混色を発生させる境界領域Ｓ１  における光強度を低下させることができる。
この吸収フィルタ４０を透過した光をＬＣＤ素子３に入射させ、ＬＣＤ素子３をＧ表示させる。この場合、境界領域Ｓ１  における光の光強度が低いので、緑の中に青が混色されることが防止される。
吸収フィルタによる混色の抑制効果を調べるために、ＬＣＤ素子３に表示された緑におけるＲ、ＧおよびＢの各色の濃度を測定した。この結果を下記表１に示す。下記表１に示す数値は、濃度であり、値が小さい方が明るいことを示す。
【００５７】
【表１】
2004160784.tif 000003
【００５８】
また、本発明においては、吸収フィルタとして、ダイクロイックミラーを用いることもできる。
図７は、縦軸に透過率をとり、横軸に波長をとり蒸着層数を変えた場合のダイクロイックミラーの分光透過特性を示すグラフである。図７に示す分光透過特性を有するダイクロイックミラーは、青と緑との混色領域である境界領域Ｓ１  の光を選択吸収するものである。図７に示すように、蒸着層数を変えることにより、境界領域Ｓ１  における透過率を変化させることができる。この場合、例えば、蒸着層は５層であり、この蒸着層数を増やすことにより、透過率を下げることができる。
本実施形態の転写装置においては、吸収フィルタ４０として、カラーフィルタに変えて、図７に示すダイクロイックミラーを用いることにより、境界領域Ｓ１  の光の光強度を低下させることができるので、青および緑の混色が軽減される。このため、青および緑の色純度が高くなり、色再現性が向上する。図７に示すダイクロイックミラーに加えて、境界領域Ｓ２  についても、この境界領域Ｓ２  の光を選択吸収する分光透過特性を有するダイクロイックミラーを用いることにより、緑および赤の混色が軽減されて、緑および赤の色純度が向上し、ＬＣＤ素子３の画像表示面３ａにおける色再現性が向上する。これにより、ダイクロイックミラーを用いた転写装置においても、３原色の色純度が向上し、高品位な画質を有する仕上りプリントを得ることができる。
【００５９】
また、吸収フィルタ４０により選択吸収する波長領域は、感光材料の分光感度特性にも依存する。このため、感光材料の分光感度特性に合わせて吸収フィルタ４０の選択吸収する波長領域を調整する必要がある。図１７に示す感光フィルムにおいて、Ｂ光およびＧ光の分光感度曲線が重なる波長域は、４６０〜５１０ｎｍであり、Ｒ光およびＧ光の分光感度曲線が重なる波長域は、５７０〜６００ｎｍである。この場合、吸収フィルタ４０は、４６０〜５１０ｎｍおよび５７０〜６００ｎｍの波長域の光を選択吸収する必要がある。
【００６０】
本実施形態においては、ＬＣＤ素子３にデジタル画像データ供給部から供給された画像を表示する。次いで棒状ランプ７を点灯して多孔板２を経て略平行光をＬＣＤ素子３の画像表示面３ａに垂直に入射させる。そして、ＬＣＤ素子３に表示された画像が感光フィルム４に露光焼付けされる。これにより、感光フィルム４に転写画像が形成される。
【００６１】
本実施形態の転写装置においては、ＬＣＤ素子３の各色のカラーフィルタ３８Ｒ、３８Ｇ、３８Ｂの分光透過率曲線が重なる境界領域の光を選択吸収する吸収フィルタ４０を設けることにより、ＬＣＤ素子３から射出される３原色の混色を低下させることができ、３原色の色純度が高くなり、感光フィルム４における色再現性を向上させる。これにより、高品位な画質を有する仕上りプリントを得ることができる。
【００６２】
次に、本発明の第２の実施形態について説明する。図８は本発明の第２の実施形態に係る転写装置を示す模式的断面図である。なお、本実施形態においては、図１乃至７に示す第１の実施形態と同一構成物には同一符号を付してその詳細な説明は省略する。
本実施形態は、第１の実施形態の転写装置と比較して、吸収フィルタ４０の設ける位置が異なり、すなわち、吸収フィルタ４０が拡散板１２と多孔板２との間に設けられている点が異なり、それ以外の構成は、第１の実施形態の転写装置と同様の構成であるので、その詳細な説明は省略する。
【００６３】
本実施形態においても、吸収フィルタ４０は、第１の実施形態に示すように、境界領域Ｓ１  、Ｓ２  における光を選択吸収するものであり、本実施形態は、第１の実施形態と同様の効果を得ることができる。このため、感光フィルム４の感光面４ａに入射する各色の光の混色が抑制されて、各色の色純度が向上する。従って、高品位の画質を有する仕上りプリントを得ることができる。
なお、本実施形態において、吸収フィルタ４０には、上述の第１の実施形態において示す特性を有するもの（図６および図７参照）を使用する。
【００６４】
なお、本発明において、転写装置の構成は、上述の第１および第２の実施形態に示すものに、特に限定されるものではない。例えば、以下に説明する構成の転写装置とすることもできる。
次に、本発明の第１の実施形態の第１の変形例について説明する。図９は本発明の第１の実施形態に係る転写装置の第１の変形例を示す模式的断面図である。本変形例においては、図１乃至７に示す第１の実施形態と同一構成物には同一符号を付してその詳細な説明は省略する。
【００６５】
本変形例は、第１の実施形態の転写装置と比較して、多孔板２０がＬＣＤ素子３の画像表示領域全面に設けられておらず、多孔板２０は貫通孔２２が１列形成されたものである。多孔板２０の下方に線状光源７ａが設けられ、多孔板２０と線状光源７ａとが一体化されて線状略平行光生成ユニット１ａとされている。この多孔板２０には、その移動する方向Ａ前後に多孔板２０の貫通孔２２以外からの光を遮光するための遮光膜９ａ、９ｂが設けられている。この遮光膜９ａ、９ｂは、多孔板２０が移動できるように、例えば、方向Ａ前後に伸縮自在な蛇腹状の膜で構成されている。また、線状光源７ａからの多孔板２０の入射面（下面）に吸収フィルタ４０が設けられている。さらに、多孔板２０を貫通孔２２の配列方向と直交する方向Ａに移動させる移動手段８が本体ケース６内の下方に設けられている点が異なり、それ以外の構成は第１の実施形態と同様であるので、その詳細な説明は省略する。本変形例における多孔板２０は、移動手段８によって、ＬＣＤ素子３の一辺に沿って移動させられるものであり、このとき、遮光膜９ａ、９ｂは、多孔板２０の移動に伴って方向Ａ前後に伸縮する。
【００６６】
本変形例においても、吸収フィルタ４０は、上述の第１の実施形態と同様のものを用いる。このため、第１の実施形態と同様の効果を奏する。なお、本変形例においても、３原色の混色が抑制され、色純度が高い光で画像を感光フィルム４に転写することができるので、高品位の画質を有する仕上りプリントを得ることができる。
【００６７】
図９に示す転写装置において、線状略平行光生成ユニット１ａは、上述の如く棒状ランプ（例えば、直管冷陰極管）からなる線状光源７ａと、線状光化手段としての柱状の多孔板２０とを結合して一体化したユニットとしたもので、線状光源７ａからの光を線状の実質的な平行光として透過型のＬＣＤ素子３に直角に入射させる機能を有するものである。線状略平行光生成ユニット１ａは、この線状略平行光生成ユニット１ａと透過型ＬＣＤ素子３との相対的な移動方向（透過型ＬＣＤ素子３の表示画面の走査方向）に直交する方向（長手方向）に幅を有する線状光を射出させるものである。
【００６８】
多孔板２０を移動させるための移動手段８は、ケース本体６内におけるローラ対６１側に配置されたモータ８ａと、モータ８ａに取り付けれる第１のプーリ８ｃと、第１のプーリ８ｃに、多孔板２０の移動方向に対向して配置される第２のプーリ８ｄと、これらの第１のプーリ８ｃと第２のプーリ８ｄに張架される無端ベルト８ｂとを有する。この無端ベルト８ｂに多孔板２０の長手方向の端部が取り付けられる。なお、移動手段８としては、無端ベルト８ｂおよびこれを張架する第１のプーリ８ｃと第２のプーリ８ｄとからなるセットを、多孔板２０の長手方向の両端側にそれぞれ取り付け、両無端ベルト８ｂ（一端側のみ図示）を同期させて連続駆動することが好ましい。本変形例の転写装置においては、移動手段８による線状略平行光生成ユニット１ａの移動により、線状略平行光生成ユニット１ａからの線状の光を順次ＬＣＤ素子３に照射して、ＬＣＤ素子３上に表示されている画像を走査露光により感光フィルム４を露光する。これにより、略平行光の拡散角度が多少大きくても感光フィルム４にＬＣＤ素子３に表示されている画像と略同じ大きさで画像を転写することができる。
【００６９】
図１０（ａ）は本発明の第１の実施形態に係る転写装置の第１の変形例に使用される多孔板を示す斜視図、（ｂ）は本発明の第１の実施形態に係る転写装置の第１の変形例に使用される多孔板の他例を示す模式的断面図である。本変形例に用いられる多孔板２０は、線状略平行光生成ユニット１ａとＬＣＤ素子３との間に配置されて線状略平行光生成ユニット１ａからの光を実質的に線状の平行光にし、ＬＣＤ素子３に入射する光をなるべく平行にし、ＬＣＤ素子３に垂直に入射させるための線状光化手段である。図１０（ａ）に示すように、所定厚さの矩形板に所定のサイズの貫通孔２２を１列所定ピッチで多数設けたものである。なお、貫通孔２２は複数列設けてもよい。
【００７０】
なお、本発明において、線状光化手段とは、光源からの光を線状の実質的な平行光として透過型画像表示装置に直角に入射させる機能を有するものであり、この線状光化手段の移動方向（透過型ＬＣＤ画面の走査方向）に直交する方向（長手方向）に所定長さを有する線状光を射出するものである。
ここで、この線状光化手段としては、上述の機能を有するものであれば、どのようなものでも良いが、製作が容易な点も考慮して、図１０（ａ）に示すように長手方向に沿って少なくとも１列に配列された多数の貫通孔２２を有し、所定厚さを持ち幅が狭く細長い（狭幅細長の）、いわゆる「柱状の多孔板」とすることが好ましい。
【００７１】
本変形例において用いられる線状光化手段としては、上述した柱状の多孔板２０に限定されず、図１０（ｂ）に示すような多孔板２０ａを用いることもできる。図１０（ｂ）に示す多孔板２０ａは、１列に配置された貫通孔２２の上に連続する凹み２２ａを設けて、この凹み２２ａにロッドレンズ２３をセットしたものである。この多孔板２０ａにおいては、ロッドレンズ２３の役目により、多孔板２０ａの貫通孔２２から出射する光を、より平行光化することができる。
【００７２】
また、本変形例においては、多孔板２０とＬＣＤ素子３との間隔を、好ましくは、０．０５ｍｍ〜１０ｍｍとし、より好ましくは０．１ｍｍ〜５ｍｍとすることが良いが、任意の寸法に調整可能に構成されていることが好ましい。これは、柱状の多孔板２０に代表される線状光化手段の貫通孔２２のパターンが拡散光による「影」の形で現われるのを防止するためのものである。なお、本変形例において設定している上記間隔は、上述の「影」は防止できるが、転写画像の鮮明度は低下させない条件である。
【００７３】
また、多孔板２０の材質としては、第１の実施形態と同じものを使用することができる。さらに、多孔板２０に設ける貫通孔２２の形状も、第１の実施形態と同じものにすることができる。
【００７４】
図１１（ａ）乃至（ｄ）は第１の実施形態に係る転写装置の第１の変形例に使用される多孔板の貫通孔の配置を示す正面図であって、（ａ）は貫通孔が３列形成されているものであり、（ｂ）は貫通孔が１列形成されているものであり、（ｃ）は貫通孔が４列形成されているものであり、（ｄ）は貫通孔が２列形成されているものである。また、複数の貫通孔２２を２列以上に配列するときの貫通孔の列の数および配列形状は、特に限定されるものではない。例えば、配列形状は、碁盤目状、千鳥状（最密状）であることが好ましく、より好ましくは千鳥状が良い。また、配列数は、例えば、１列乃至数列であってもよいが、複数列のうち、特に千鳥状に配列する場合には、偶数列が良い。この理由は、図１１（ａ）に示すように、３列、すなわち奇数列配列の貫通孔２２を持つ多孔板２０の場合、α行およびγ行では第１および３列の２個の貫通孔２２からの光がＬＣＤ素子３を照明するので明るい。しかし、β行およびδ行では第２列の１個の貫通孔２２からの光しかＬＣＤ素子３を照明しないので暗い。このため、β行およびδ行では暗いスジができる。
【００７５】
また、多孔板２０に設ける複数の貫通孔２２の配列ピッチｐ（図１０（ａ）参照）は、貫通孔２２が均一に配置され、ＬＣＤ素子３の表示画像を鮮明に感光フィルム４に転写できれば、どのようなピッチでも良く、貫通孔２２のサイズなどに応じて適宜設定すれば良い。例えば、配列ピッチｐは、なるべく細かい方が良い。
【００７６】
なお、本変形例においては、貫通孔２２と貫通孔２２との間隔ｄは、特に限定されるものではないが、配列ピッチｐおよび貫通孔２２のサイズより重要である。その理由は、この貫通孔２２間の間隔ｄを大きくすると、上述の貫通孔２２のパターンが拡散光による「影」を消すために、多孔板２０とＬＣＤ素子３との間の距離を離す必要が出てくるからである。従って、この貫通孔２２間の間隔ｄは、例えば、長手方向（配列方向）における間隔ｙに換算して、１ｍｍ以下とすることが好ましく、より好ましくは０．５ｍｍ以下で、さらに好ましくは、０．２ｍｍ以下であることが良い。なお、貫通孔２２間の間隔ｄの下限値は、特に限定されるものではない。しかし、製作上の容易性を考慮すると、間隔ｄの下限値は、０．０５ｍｍ程度以上であることが好ましい。
【００７７】
なお、長手方向における間隔に換算した貫通孔２２間の間隔ｄとは、図１１（ｂ）に示すように多孔板２０における貫通孔２２の配列が１列である場合、または図１１（ｃ）に示すように複数列（図示例では４列）でも最密状である場合には、最も近接する貫通孔２２間の間隔ｄのことであり、図１１（ｄ）に示すように複数列（図示例では２列）でも千鳥状である場合には、長手方向に直交する方向から投影した時に最も近接する貫通孔２２間の長手方向の間隔ｙのことである。なお、図１１（ｄ）に示すような千鳥状である場合の長手方向と直交する方向の間隔ｘは、上記間隔ｙよりも自由度が大きく、例えば、２ｍｍ以下が好ましく、より好ましくは１ｍｍ以下、さらに好ましくは０．５ｍｍ以下であることが良い。このように、本変形例の転写装置に用いられる多孔板２０においては、上記間隔ｘおよびｙを同じ位にする必要がなく、例えば、ｙ＝０．２ｍｍであっても、ｘ＝０．５ｍｍまたは１ｍｍとしても良いので、製作上の制限が緩和され、製作が容易となるという重要な特徴を有する。
【００７８】
この多孔板２０の厚さｔ１  （図１０（ａ）参照）は、前述した第１の実施形態と同様、貫通孔２２の直径または相当直径の３倍以上であることが好ましい、より好ましくは５倍以上、さらにより好ましくは７倍以上であることが好ましい。
【００７９】
また、多孔板２０の全表面のうち、少なくとも貫通孔２２の内面を低反射率面で構成することが好ましく、より好ましくは、多孔板２０の全表面を低反射率面で構成することが良い。ここで、低反射率面とは、例えば、黒色化された面または粗面化された面等のように、入射する光の反射率を低下させている面のことをいう。黒色化面を形成する方法としては、特に限定されるものではないが、例えば、多孔板２０を構成する素材自体が黒色のものを用いる方法、または表面の黒色化処理する方法が挙げられる。なお、黒色素材としては、例えば、カーボンブラック粉末を１％以上（好ましくは３％以上）含有する材料またはカーボン粉末を固めた材料などが挙げられる。黒色化処理の例としては、例えば、塗装または化学的処理（メッキ、酸化または電解など）  が挙げられる。一方、粗面化処理に関しても、特に限定されるものではないが、例えば、穴を加工する際に同時に粗面化する方法、サンドブラストなどの機械的処理方法またはエッチングなどの化学的処理による方法等の後加工により粗面化する方法などを任意に用いることが可能である。この場合、粗面化の程度としては、例えば、中心線平均粗さで１μｍ〜２０μｍ程度が有効な範囲である。
【００８０】
なお、本変形例においては、多孔板２０の少なくとも貫通孔２２の内面の反射率は、より好ましくは、多孔板２０の全表面を構成する低反射率面の反射率は、２％以下が好ましく、より好ましくは１％以下が良い。これは、反射率が２％以下であれば、線状光源７ａから入射した、平行光以外の散乱光を効率良く吸収でき、線状光源７ａから略平行光（平行光を含む）のみを効率良く射出させて、ＬＣＤ素子３に入射させることができるからである。なお、反射率は、例えば、（株）島津製作所製ＭＰＣ３１００型分光反射率測定機を用い、波長５５０ｎｍで測定することができる。
【００８１】
また、移動手段８による多孔板２０の移動速度は、光源である線状光源７ａの明るさ、多孔板２０の貫通孔２２の大きさ（直径または相当直径）またはピッチなどにより異なるが、毎秒数ｍｍ〜数百ｍｍ程度にすることが好ましい。
なお、本変形例に用いられる移動手段８は、上述のように多孔板２０の長手方向の端部を無端ベルト８ｂに取り付け、この無端ベルト８ｂを駆動するという方式のみに限定されるものではなく、トラベリングナットに多孔板２０を固定し、トラベリングナットと螺合するドライブスクリュを駆動する方式、またはワイヤの一端に多孔板２０を固定し、ワイヤを巻き取る方式など、従来公知の移動方法であれば、どのような方法を用いても良い。
【００８２】
さらに、本発明においては、多孔板の代りに、帯状のスリット光を得ることができるスリットを持つスリット板を用いることもできる。しかし、スリットは、その長手方向の光の散乱を多孔板ほど低減できないので、スリット板よりも図１０（ａ）に示す多孔板２０および図１０（ｂ）に示す多孔板２０ａの方が好ましい。しかし、光源からの光の拡散成分が少ない場合、または鮮明度に対する要求が高くない場合には、スリット板を用いても良い。
【００８３】
また、本変形例の転写装置においても、上述したように、実際に取り扱い易い装置とするために必要な条件から、ＬＣＤ素子３と感光フィルム４とを非接触状態で、厳密には、ＬＣＤ素子３の画像表示面３ａと感光フィルム４の感光面４ａとを非接触状態で、所定の間隔だけ離間させる。本変形例では、鮮明な転写画像を得るという点おいて、これによって生じる光拡散の増大というマイナス要因を、多孔板２０の貫通孔２２の直径または相当直径に対する比を３倍以上とすることによる光拡散の抑制、加えて、ＬＣＤ素子３の感光フィルム４側の基板３２と偏光フィルム３１とを合わせた合計厚さｔを規制することによる光拡散の抑制というプラス要因でカバーすることができる。これにより、ＬＣＤ素子３と感光フィルム４とを所定の間隔だけ離間させても、鮮明な転写画像を得ることができる。
【００８４】
ここで、本変形例においては、固定されている透過型のＬＣＤ素子３に対して、線状略平行光生成ユニット１ａ側が移動するものである。なお、本変形例においては、これに限定されるものではなく、固定されている線状略平行光生成ユニット１ａに対して、感光フィルム４と一体化されたＬＣＤ素子３側が移動するものとしてもよい。この場合、感光フィルム４の２枚分のスペースが必要となるので、装置構成をコンパクトにできる線状略平行光生成ユニット１ａ側が移動する方が好ましい。
【００８５】
また、線状略平行光生成ユニット１ａに用いられる線状光源７ａは、冷陰極線管等の棒状ランプと、拡散フィルムまたはリフレクタ等の反射板などを有し、棒状ランプからの光を拡散フィルムまたは反射板などを用いて均一に拡散させるようにしたものであるが、本変形例はこれに限定されず、帯状の光が得られれば、どのようなものでも良く、例えば、棒状の光源、細長い有機ＥＬパネルまたは無機ＥＬパネル等を組み合せて所定長の光源等とスリット板とを用いて帯状のスリット光とするものであっても良い。また、ＬＥＤ等を列状に配置して列状の点状光を得るものであっても良い。後者の場合には、ＬＥＤと多孔板２０の貫通孔２２との位置を合わせることが好ましい。
【００８６】
次に、本発明の第１の実施形態の第２の変形例について説明する。図１２は本発明の第１の実施形態に係る転写装置の第１の変形例を示す模式的断面図である。なお、本変形例においては、図９乃至図１１に示す第１の実施形態の第１の変形例と同一構成物には、同一符号を付してその詳細な説明は省略する。
本変形例は、第１の変形例の転写装置と比較して、線状略平行光生成ユニット１ａが移動する方向Ａと貫通孔２２の軸方向とが平行になるように、線状略平行光生成ユニット１ａが配置されており、多孔板２０の出射側の端面にミラー２４が、多孔板２０からの出射光をＬＣＤ素子３に入射させるように、方向Ａに対して４５°の角度で配置されている点が異なり、それ以外の構成は第１の変形例と同様であるので、その詳細な説明は省略する。なお、本変形例においても、吸収フィルタ４０は、上述の第１の実施形態と同様のものを用いる。
【００８７】
図１２に示す本変形例の転写装置においても、図９に示す第１の変形例の転写装置と同様に、移動手段８による線状略平行光生成ユニット１ａの移動により、線状略平行光生成ユニット１ａからの線状の光を順次ＬＣＤ素子３に照射して、ＬＣＤ素子３上に表示されている画像を走査露光により照明する。この場合、吸収フィルタ４０が設けられているので、第１の実施形態と同様に、混色が少ない、高品位な仕上りプリントを得ることができる。
また、本変形例は、線状略平行光生成ユニット１ａの配置方向を変え、ミラー２４を設けることにより、多孔板２０の感光フィルム４の積層方向における厚さを薄くすることができるので、光源のサイズが小さくなり、第１の変形例の転写装置をさらに小型化することができる。
【００８８】
なお、本変形例においては、線状略平行光生成ユニット１ａに用いられる線状光化手段には、図１０（ａ）および（ｂ）に示す多孔板２０および２０ａを用いることができるのはもちろん、図９乃至図１１に示す第１の変形例の転写装置に適用できるものは、全て適用可能である。
【００８９】
上述の第１および第２の実施形態ならびに第１の実施形態の第１および第２の変形例においては、略平行光生成素子として多孔板を使用したが、これに限定されるものではなく、例えばセルフォックレンズなどを使用しても良い。また、上述の第１および第２の実施形態ならびに第１の実施形態の第１および第２の変形例においても、ＬＣＤ素子３の画像表示面３ａと感光フィルム４の感光面４ａとを密着させてもよく、このとき、密着させない場合に比べて、より鮮明度が高い転写画像を得ることができる。
【００９０】
また、上述の第１および第２の実施形態ならびに第１の実施形態の第１および第２の変形例においては、吸収フィルタをバックライトユニット、線状略平行光生成ユニット、またはＬＣＤ素子に設ける構成としたが、本発明はこれに限定されるものではなく、線状光源または棒状光源と感光フィルムとの間のいずれかの場所に混色が生じる領域の光を選択吸収する吸収フィルタを設ければよい。これにより、混色が抑制され、色再現性に優れた高品位の画質を有する仕上りプリントを得ることができる。
【００９１】
なお、上記実施形態およびその変形例は本発明の一例を示したものであり、本発明はこれに限定されるべきものではないことはいうまでもない。例えば、光源としてのバックライト、または画像表示手段としてのＬＣＤ素子など、本発明の要旨を変更しない可能な範囲内で公知のものに変更することができ、公知の種々の機能のものを用いることができることは明らかである。
【００９２】
【発明の効果】
以上、詳細に説明したように、本発明によれば、例えばＬＣＤ素子である画像表示装置の赤、青および緑の各カラーフィルタの分光透過率曲線が相互に重なる領域における光を選択吸収する吸収フィルタを設けることにより、感光性記録媒体に入射する３原色の混色が防止されるので、３原色の色純度が高くなり、高品位な画質を有する仕上りプリントを得ることができる。
また、本発明においては、簡単な構成で、真に小型軽量化、低消費電力化および低コスト化を可能にする転写装置を実現することが可能である。
【００９３】
さらに、本発明によれば、高い画素密度の高精細画面を持つ液晶ディスプレイの使用を可能として、より鮮明度の高い高精細な転写画像まで、混色が少ない転写画像を得ることができる。
【図面の簡単な説明】
【図１】本発明の第１の実施形態に係る転写装置を示す模式的側断面図である。
【図２】本発明の第１の実施形態に係る転写装置の要部を示す模式的断面図である。
【図３】（ａ）は本実施形態の転写装置に使用される多孔板の一部を拡大して示す正面図、（ｂ）は本実施形態の転写装置に使用される多孔板の第１の変形例を示す正面図、（ｃ）は本実施形態の転写装置に使用される多孔板の第２の変形例を示す正面図である。
【図４】本実施形態の転写装置に使用される透過型の液晶表示素子の構造を示す断面図である。
【図５】本実施形態の転写装置に使用されるフィルムパック５の一例の構造を示す斜視図である。
【図６】縦軸に光強度をとり、横軸に波長をとって、棒状ランプ（光源）の分光強度分布を示すとともに、本実施形態の吸収フィルタの効果を説明するグラフである。
【図７】縦軸に透過率をとり、横軸に波長をとり蒸着層数を変えた場合のダイクロイックミラーの分光透過特性を示すグラフである。
【図８】本発明の第２の実施形態に係る転写装置を示す模式的側断面図である。
【図９】本発明の第１の実施形態に係る転写装置の第１の変形例を示す模式的断面図である。
【図１０】（ａ）は本発明の第１の実施形態の転写装置の第１の変形例に使用される多孔板を示す斜視図、（ｂ）は本発明の第１の実施形態の転写装置の第１の変形例に使用される多孔板の他例を示す模式的断面図である。
【図１１】（ａ）乃至（ｄ）は第１の実施形態に係る転写装置の第１の変形例に使用される多孔板の貫通孔の配置を示す正面図である。
【図１２】本発明の第１の実施形態に係る転写装置の第１の変形例を示す模式的断面図である。
【図１３】（ａ）は特許文献２に開示された印写装置を示す側面図、（ｂ）は図１３（ａ）のＤ部拡大図である。
【図１４】特許文献２の他の実施形態の印写装置を示す斜視図である。
【図１５】縦軸に透過率をとり、横軸に波長をとって、Ｒ、Ｇ、およびＢの各色のカラーフィルタの分光透過率曲線を示すグラフである。
【図１６】縦軸に光強度をとり、横軸に波長をとって、ＬＣＤのバックライト光源の分光強度分布を示すグラフである。
【図１７】縦軸に感度をとり、横軸に波長をとって、感光フィルムのＲ光、Ｇ光、およびＢ光における分光感度特性を示すグラフである。
【図１８】縦軸に光強度をとり、横軸に波長をとって、ＬＣＤのＧのカラーフィルタを透過した光の分光強度特性を示すグラフである。
【符号の説明】
１  バックライトユニット
２、２０  多孔板
２１、２２  貫通孔
３  液晶表ディスプレイ素子（ＬＣＤ素子）
３１、３７  偏光板
３２、３６  基板
３３、３５  電極
３４  液晶層
４  感光フィルム（インスタント写真用フィルム）
５  フィルムパック
５１  フィルムケース
５２  切り欠き
５３  露光済みフィルムの取出口
５４  開口部
６  本体ケース
６１  露光済みフィルムの送り出し兼処理液展開ローラ対
６２  取出口
２４  ミラー
Ｒ、Ｂ、Ｇ  分光透過率曲線
【図１】
2004160784.tif 000004
【図２】
2004160784.tif 000005
【図３】
2004160784.tif 000006
【図４】
2004160784.tif 000007
【図５】
2004160784.tif 000008
【図６】
2004160784.tif 000009
【図７】
2004160784.tif 000010
【図８】
2004160784.tif 000011
【図９】
2004160784.tif 000012
【図１０】
2004160784.tif 000013
【図１１】
2004160784.tif 000014
【図１２】
2004160784.tif 000015
【図１３】
2004160784.tif 000016
【図１４】
2004160784.tif 000017
【図１５】
2004160784.tif 000018
【図１６】
2004160784.tif 000019
【図１７】
2004160784.tif 000020
【図１８】
2004160784.tif 000021